(57)【特許請求の範囲】
【請求項１】
多数の桟を伸縮リンク機構によって連結し同時伸縮自在に形成した伸縮仕切体と，該伸縮仕切体の伸縮開閉用の一対のガイドレールとを備え，上記伸縮仕切体の伸縮方向に一対の桟をそれぞれ上記ガイドレール長手方向に移動不能とすることにより上記伸縮リンク機構を拘束する一対の桟固定手段を上記一対のガイドレール間に架設した取付桟と伸縮仕切体の伸縮方向中間の中間桟との間に設置するとともに少くともその一方を，サッシ戸を開成することによって形成される開口前に配置して室内側からの解除を自在とした中間桟固定手段とした伸縮面格子であって，該中間桟固定手段を，上記中間桟下方室内側の背面に設けた受金具と上記取付桟に設けた施錠金具とによって形成し，上記受金具を，室内側に向けて開口する縦方向のスリットを有する平面Ｃ字状のピース金具によるものとし，施錠金具を，レバーハンドルとその先端に一体に設置した係止金具とによって形成し，該レバーハンドルを上記取付桟の室内側にしてその下方位置に固定した軸支部材に回動自在に設置してレバーハンドルを室内側に回動自在とするとともにその上記先端の係止金具を，レバーハンドルの起立によって上記取付桟に透設した透孔を介して受金具のスリットに回転挿入しその端部折曲突片を受金具に引掛係止し，レバーハンドルの回動操作によって上記受金具のスリットから脱出して引掛係止を解除する半円状に形成したクレセント状の金具によるものとし且つ上記レバーハンドルの回動半径を軸支部材の軸支部とサッシ戸との間隔より大きくしてなることを特徴とする非常脱出用伸縮面格子。
【請求項２】
多数の桟を伸縮リンク機構によって連結し同時伸縮自在に形成した伸縮仕切体と，該伸縮仕切体の伸縮開閉用の一対のガイドレールとを備え，上記伸縮仕切体の伸縮方向に一対の桟をそれぞれ上記ガイドレール長手方向に移動不能とすることにより上記伸縮リンク機構を拘束する一対の桟固定手段を上記一対のガイドレール間に架設した取付桟と伸縮仕切体の伸縮方向中間の中間桟との間に設置するとともに少くともその一方を，サッシ戸を開成することによって形成される開口前に配置して室内側からの解除を自在とした中間桟固定手段とした伸縮面格子であって，該中間桟固定手段を，中間桟下方室内側の背面に設けた受金具と上記取付桟に設けた施錠金具とによって形成し，上記受金具を，室内側に向けて開口する縦方向のラッチ孔を有する平面コ字状のピース金具によるものとし，施錠金具を，ラッチ及び該ラッチ操作用のレバーハンドルとによって形成し，上記ラッチを，上記取付桟の長手方向下方にして上記受金具の位置に固定したラッチケースに軸支して収容して該ラッチケースとの間にコイルスプリングを介装することによって受金具のラッチ孔に向けて回動自在にして係止方向に付勢したものとし，上記レバーハンドルを，上記ラッチケースに近接して取付桟に固定した軸支部材に軸支して室内側に回動自在とし先端に上記ラッチケースに透設した背面に向けて開口した押圧用開口を介して該ラッチケース内のラッチを押圧回動する折曲押圧部を有するものとするとともに上記ラッチを，レバーハンドルの起立によってその折曲押圧部をラッチに非接触の状態とし上記付勢力によってラッチを受金具に係止し，レバーハンドルの回動操作によって折曲押圧部がラッチを押圧回動して，上記ラッチの係止を解除するものとし且つ上記レバーハンドルの回動半径を軸支部材の軸支部とサッシ戸との間隔より大きくしてなることを特徴とする非常脱出用伸縮面格子。
【発明の詳細な説明】
【０００１】
【発明の属する技術分野】
本発明は，建物の窓に設置して防犯用に用いる面格子に関し，特に非常時に開成して室内からの脱出を可能とする非常脱出用伸縮面格子に関する。
【０００２】
【発明が解決しようとする課題】
この種非常脱出用に用いられる，例えば非常時に下方に落下し，室外側上方に跳ね上げ回動し，或いは室外側側方に回動することによって仕切体を除去して，脱出開口を得るようにした面格子は，一般に単に縦格子，横格子のものとされるため，デザイン的に単調な傾向を有しており，また面格子として仕切体をサッシ戸前に保持固定する施錠装置等の固定手段は，これを室外側で操作し易く，このため面格子としての防犯性が損われる傾向を有している。
【０００３】
本発明はかかる事情に鑑みてなされたもので，その解決課題とする処は，デザインを多様化し得るとともに非常脱出用の脱出開口を簡易且つ確実に得られ且つ防犯性を可及的に向上した非常脱出用面格子を提供するにある。
【０００４】
【課題を解決するための手段】
上記課題に添って本発明は，請求項１に記載の発明を，多数の桟を伸縮リンク機構によって連結し同時伸縮自在に形成した伸縮仕切体と，該伸縮仕切体の伸縮開閉用の一対のガイドレールとを備え，上記伸縮仕切体の伸縮方向に一対の桟をそれぞれ上記ガイドレール長手方向に移動不能とすることにより上記伸縮リンク機構を拘束する一対の桟固定手段を上記一対のガイドレール間に架設した取付桟と伸縮仕切体の伸縮方向中間の中間桟との間に設置するとともに少くともその一方を，サッシ戸を開成することによって形成される開口前に配置して室内側からの解除を自在とした中間桟固定手段とした伸縮面格子であって，該中間桟固定手段を，上記中間桟下方室内側の背面に設けた受金具と上記取付桟に設けた施錠金具とによって形成し，上記受金具を，室内側に向けて開口する縦方向のスリットを有する平面Ｃ字状のピース金具によるものとし，施錠金具を，レバーハンドルとその先端に一体に設置した係止金具とによって形成し，該レバーハンドルを上記取付桟の室内側にしてその下方位置に固定した軸支部材に回動自在に設置してレバーハンドルを室内側に回動自在とするとともにその上記先端の係止金具を，レバーハンドルの起立によって上記取付桟に透設した透孔を介して受金具のスリットに回転挿入しその端部折曲突片を受金具に引掛係止し，レバーハンドルの回動操作によって上記受金具のスリットから脱出して引掛係止を解除する半円状に形成したクレセント状の金具によるものとし且つ上記レバーハンドルの回動半径を軸支部材の軸支部とサッシ戸との間隔より大きくしてなることを特徴とする非常脱出用伸縮面格子とし，請求項２に記載の発明を，多数の桟を伸縮リンク機構によって連結し同時伸縮自在に形成した伸縮仕切体と，該伸縮仕切体の伸縮開閉用の一対のガイドレールとを備え，上記伸縮仕切体の伸縮方向に一対の桟をそれぞれ上記ガイドレール長手方向に移動不能とすることにより上記伸縮リンク機構を拘束する一対の桟固定手段を上記一対のガイドレール間に架設した取付桟と伸縮仕切体の伸縮方向中間の中間桟との間に設置するとともに少くともその一方を，サッシ戸を開成することによって形成される開口前に配置して室内側からの解除を自在とした中間桟固定手段とした伸縮面格子であって，該中間桟固定手段を，中間桟下方室内側の背面に設けた受金具と上記取付桟に設けた施錠金具とによって形成し，上記受金具を，室内側に向けて開口する縦方向のラッチ孔を有する平面コ字状のピース金具によるものとし，施錠金具を，ラッチ及び該ラッチ操作用のレバーハンドルとによって形成し，上記ラッチを，上記取付桟の長手方向下方にして上記受金具の位置に固定したラッチケースに軸支して収容して該ラッチケースとの間にコイルスプリングを介装することによって受金具のラッチ孔に向けて回動自在にして係止方向に付勢したものとし，上記レバーハンドルを，上記ラッチケースに近接して取付桟に固定した軸支部材に軸支して室内側に回動自在とし先端に上記ラッチケースに透設した背面に向けて開口した押圧用開口を介して該ラッチケース内のラッチを押圧回動する折曲押圧部を有するものとするとともに上記ラッチを，レバーハンドルの起立によってその折曲押圧部をラッチに非接触の状態とし上記付勢力によってラッチを受金具に係止し，レバーハンドルの回動操作によって折曲押圧部がラッチを押圧回動して，上記ラッチの係止を解除するものとし且つ上記レバーハンドルの回動半径を軸支部材の軸支部とサッシ戸との間隔より大きくしてなることを特徴とする非常脱出用伸縮面格子としたものである。
【０００５】
【発明の実施の形態】
以下図面の例に従って本発明を更に具体的に説明すれば，Ａは伸縮面格子であり，該伸縮面格子Ａは，多数の桟２を伸縮リンク機構３によって連結し同時伸縮自在に形成した伸縮仕切体１と，該伸縮仕切体１の伸縮開閉用の一対のガイドレール６とを備えたアルミ製のものとしてある。
【０００６】
本例にあって伸縮仕切体１は，多数の縦桟２の長手方向一対の上下に伸縮リンク機構３を配することによって伸縮自在のものとしてあり，このとき伸縮リンク機構３は，それぞれ端部から一つ置きに設置する交互一方の縦桟２間に亘るようにリンクをＸ字状に架設するとともに上記一つ置きの交互一方の桟２における長手方向一方の上下一方外方にして，上方の伸縮リンク機構３において上端側，下方の伸縮リンク機構３において下端側に固定軸４を，また長手方向他方の上下他方内方にして上記上方の伸縮リンク機構３において上記固定軸４の下位側，下方の伸縮リンク機構３において上記固定軸４の上位側に可動軸５を配し，また上記交互一方の桟２間に位置する交互他方の桟２との交点に固定軸４を配し，これら桟２に固定軸４を定位置固定するとともに可動軸５を桟長手方向の上下方向スライド自在に固定したものとしてあり，このときＸ字状のリンクを上記固定軸４及び可動軸５にそれぞれ回動自在とすることによって，伸縮仕切体１を伸縮開閉自在とするとともにその伸縮リンク機構３を同時伸縮自在として，上記伸縮仕切体１の伸縮開閉を伸縮方向に同時に行うものとしてある。
【０００７】
ガイドレール６は，上記伸縮仕切体１の長手方向端部の上下端部室内側，即ち背面の窓側に水平平行に配置した横向き矩形一対のものとし，各桟２の長手方向両端部の同じく室内側に突出して設置したＬ字状のスライダー７をガイドレール６に引掛係合することによって伸縮仕切体１をガイドレール６長手方向の，本例にあって水平の横方向に伸縮開閉するようにしたものとしてある。
【０００８】
このとき伸縮仕切体１は，その伸縮方向に一対の桟２をそれぞれ上記ガイドレール６長手方向に移動不能とすることにより上記伸縮リンク機構３を拘束する一対の桟固定手段を上記一対のガイドレール６間に架設した取付桟２２と伸縮仕切体１の伸縮方向中間の中間桟２との間に設置するとともに少くともその一方を，サッシ戸Bを開成することによって形成される開口前に配置して室内側からの解除を自在とした中間桟固定手段としたものとしてあり，本例にあって該一対の桟固定手段は，これを上記伸縮仕切体１の伸縮方向一方の端部桟２に対して解除不能の固定手段と，上記伸縮仕切体１の伸縮方向中間の中間桟２に対して上記室内側からの解除を自在とした上記中間桟固定手段によるものとしてある。
【０００９】
即ち本例にあって，上記解除不能の固定手段は，伸縮仕切体１一端の端部に位置する一方の端部縦桟２を上記一対のガイドレール６に対して固定することによるものとしてあり，本例では，上記一方の端部縦桟２を，その長手方向両端の上下端部においてそれぞれガイドレール６に，Ｌ字アングル材による固定金具１０を用い，これを端部縦桟２とガイドレール６にそれぞれリベット等によって固定することによったものとしてあり，これにより伸縮仕切体１の伸縮方向一端をガイドレール６に固定し，該一端でその移動を阻止して不能とするものとしてある。
【００１０】
一方，上記室内側からの解除を自在とした中間桟固定手段は，上記固定手段と対をなすことにより，サッシ戸Ｂを開成した際の開口前方の伸縮仕切体１における伸縮方向中間，本例にあっては，上記固定手段を設置した一方の端部と反対側の伸縮方向他方の端部寄りの中間に位置する中間桟２を解除自在に固定することにより，上記同時伸縮自在とした伸縮仕切体１の伸縮リンク機構３を拘束する一方，これを解除することにより該拘束を解除して，その伸縮開閉を可能とするものとしてあり，本例にあって該中間桟固定手段は，これを，該中間桟固定手段を，上記中間桟下方室内側の背面に設けた受金具と上記取付桟２２に設けた施錠金具２４とによって形成してある。
【００１１】
このとき上記受金具２０は，これを，室内側に向けて開口する縦方向のスリット２１を有する平面Ｃ字状のピース金具によるものとしてあり，また施錠金具２４は，これを，レバーハンドル２６とその先端に一体に設置した係止金具２７とによって形成してあり，該施錠金具２４のレバーハンドル２６を上記取付桟２２の室内側にしてその下方位置に固定した軸支部材２５に回動自在に設置してレバーハンドル２６を室内側に回動自在とするとともにその上記先端の係止金具２７を，レバーハンドル２６の起立によって上記取付桟２２に透設した透孔２３を介して受金具２０のスリット２１に回転挿入しその端部折曲突片２８を受金具２０に引掛係止し，レバーハンドル２６の回動操作によって上記受金具２０のスリット２１から脱出して引掛係止を解除する半円状に形成したクレセント状の金具によるものとしてある。
【００１２】
このとき上記レバーハンドルの回動半径は，これを軸支部材２５の軸支部とサッシ戸Ｂとの間隔より大きくしてあり，これによってサッシ戸Ｂを開成することによりその回動を可能ならしめ，サッシ戸Ｂを閉成することによって，その回動操作を不能とし，伸縮面格子Ａの防犯性を確保するものとしてあり，上記回動半径の設定は，伸縮面格子Ａのブラケット８の寸法等を考慮した壁面と上記軸支部との間隔寸法及び住宅用，ビル用等アルミサッシにおける壁面取付フインとレバーハンドル２６設置側のサッシ戸Ｂ，特にその硝子パネル面の標準的な間隔寸法の和の合計寸法を基準に，これより長くするようにレバーハンドル２６長さを定めるようにして行えばよい。
【００１３】
図８乃至図１１は，上記中間桟固定手段の他の例を示したもので，上記例と同様に，該中間桟固定手段は，これを，中間桟２下方室内側の背面に設けた受金具２０と上記取付桟２２に設けた施錠金具２４とによって形成してあり，このとき上記受金具２０は，これを，室内側に向けて開口する縦方向のラッチ孔２９を有する平面コ字状のピース金具によるものとし，施錠金具２４を，ラッチ３０及び該ラッチ３０操作用のレバーハンドル２６とによって形成し，上記ラッチ３０を，上記取付桟２２の長手方向下方にして上記受金具２０の位置に固定したラッチケース３２に軸支して収容して該ラッチケース３２との間にコイルスプリングを介装することによって受金具２０のラッチ孔２９に向けて回動自在にして係止方向に付勢したものとし，上記レバーハンドル２６を，上記ラッチケース３２に近接して取付桟２２に固定した軸支部材２５に軸支して室内側に回動自在とし先端に上記ラッチケース３２に透設した背面に向けて開口した押圧用開口を介して該ラッチケース２１内のラッチ３０を押圧回動する折曲押圧部３１を有するものとするとともに上記ラッチ３０を，レバーハンドル２６の起立によってその折曲押圧部３１をラッチ３０に非接触の状態とし上記付勢力によってラッチ３０を受金具２０に係止し，レバーハンドル２６の回動操作によって折曲押圧部３１がラッチ３０を押圧回動して，上記ラッチ３０の係止を解除するものとしてあり，このとき上記レバーハンドル２６は，同じくその回動半径を軸支部材２５の軸支部とサッシ戸Ｂとの間隔より大きくしたものとしてある。
【００１４】
従って以上の室内側からの解除を自在とした中間桟固定手段を含む一対の固定手段を対として設置した上記伸縮面格子Ａは，中間桟固定手段によってその伸縮仕切体１の伸縮開閉が阻止された状態となって面格子としての仕切体が設置され，桟と伸縮リンク機構３とによってデザインが個性化し，多様化したものとなる一方，非常時には室内からサッシ戸Ｂを開成して，レバーハンドル２６を回動操作することによって，中間桟固定手段の中間桟２の固定を解除し，伸縮仕切体１の伸縮開閉を可能として，窓に脱出開口を形成し，窓からの脱出避難を可能とし，またレバーハンドル２６の回動操作をサッシ戸Ｂの開成時に限ることにより，面格子としての防犯性を向上したものとすることができる。
【００１５】
図示した例は以上のとおりとしたが，本発明の実施に当って，伸縮仕切体を多数の横桟を伸縮リンク機構によって連結し，上下方向に同時伸縮自在に形成したものとすること，一対の桟固定手段の双方を室内側からの解除を自在とした中間桟固定手段と端部桟固定手段又は一対の中間桟固定手段とすること等を含めて，伸縮仕切体，ガイドレール，中間桟固定手段，受金具，施錠金具，取付桟等の各具体的材質，形状，構造，これらの関係，これらに対する付加等の具体的形態は，上記発明の要旨に反しない限り，これを様々のものとすることができる。
【００１６】
【発明の作用効果】
本発明は以上のとおりに構成したから，請求項１に記載の発明は，桟と直線，湾曲等を呈する桟長手方向に単一又は複数の伸縮リンク機構とを備えてデザインを個性化し多様化し得ること，中間桟固定手段の設置を安定且つ確実に行うとともに脱出開口の形成を妨げることのないものとすること，非常時の脱出開口の形成と相反する面格子としての防犯性を可及的に向上したものとすること，作動が確実で非常時に伸縮仕切体の伸縮開閉をワンアクションで簡単になし得るものとすることが可能な非常脱出用面格子を提供することできる。
【図面の簡単な説明】
【図１】  伸縮面格子の正面図である
【図２】  伸縮面格子の一部を省略した背面図である
【図３】  伸縮面格子の設置状態を示す縦断面図である
【図４】  中間桟固定装置の分解斜視図である
【図５】  中間桟固定装置の固定状態を示す平面図である
【図６】  中間桟固定装置の固定状態を示す側面図である
【図７】  中間桟固定装置の固定を解除した状態を示す側面図である
【図８】  他の例に係る伸縮面格子の設置状態を示す縦断面図である
【図９】  他の例に係る中間桟固定手段の固定を解除する状態を示す一部の図示を省略した斜視図である
【図１０】  図９の中間桟固定手段の固定状態を示す側面図である
【図１１】  同じく図９の中間桟固定手段の固定状態を示す横断面図である
【符号の説明】
Ａ  伸縮面格子
１  伸縮仕切体
２  桟
３  伸縮リンク機構
６  ガイドレール
１０  固定金具
２０  受金具
２２  取付桟
２４  施錠金具
２６  レバーハンドル
２７  係止金具
３０  ラッチ
３１  折曲押圧部
【図１】
0003889845.tif 000002
【図２】
0003889845.tif 000003
【図３】
0003889845.tif 000004
【図４】
0003889845.tif 000005
【図５】
0003889845.tif 000006
【図６】
0003889845.tif 000007
【図７】
0003889845.tif 000008
【図８】
0003889845.tif 000009
【図９】
0003889845.tif 000010
【図１０】
0003889845.tif 000011
【図１１】
0003889845.tif 000012